(57)【要約】【課題】空気調和機用室外機において、雨や雪などによるファンへの氷結を防止してファンの破損を防止できる信頼性の高いものとすること。【解決手段】空気調和機用室外機５０は、熱交換器５、送風装置３０及び圧縮機２を筐体４０内に収納している。筐体４０は、上面を閉鎖し、側面上部に吸込み口９ａを形成し、側面下部に吹出し口９ｂを形成して構成されている。送風装置３０は、吸込み口９ａと吹出し口９ｂとの間に設置されたベルマウス１６と、室外空気を吸込み口９ａから吸込み吹出し口９ｂから吹出すようにベルマウス１６の中央に配置されたファン１と、ファン１を駆動するモータ４とを備えて構成されている。熱交換器５は筐体４０内のファン１の吸込み側で且つ吸込み口９ａに沿って配置されている。圧縮機１は筐体４０の底面部に搭載されている。【選択図】図１
2006017420.tif 000002
【特許請求の範囲】
【請求項１】
熱交換器、送風装置及び圧縮機を筐体内に収納した空気調和機用室外機において、
前記筐体は、上面を閉鎖し、側面上部に吸込み口を形成し、側面下部に吹出し口を形成して構成され、
前記送風装置は、前記吸込み口と前記吹出し口との間に設置されたベルマウスと、室外空気を前記吸込み口から吸込み前記吹出し口から吹出すように前記ベルマウスの中央に配置されたファンと、前記ファンを駆動するモータとを備え、
前記熱交換器は前記筐体内の前記ファンの吸込み側で且つ前記吸込み口に沿って配置され、
前記圧縮機は前記筐体の底面部に搭載されている
ことを特徴とする空気調和機用室外機。
【請求項２】
請求項１に記載された空気調和機用室外機において、
前記筐体は、直方体の骨格を形成する金属製フレームと、直方体の外面を形成するように前記フレームに取付けられた外板とからなる直方体フレーム構造で構成され、
前記筐体の上面及び底面を構成する外板は金属板で構成され、前記筐体の前後左右の４側面を構成する外板は４側面の上部に前記吸込み口が形成されると共に４側面の下部に前記吹出し口が形成されている
ことを特徴とする空気調和機用室外機。
【請求項３】
請求項１または２に記載された空気調和機用室外機において、
前記ファンは室外空気を上方から吸込み下方へ吹出す軸流型ファンで構成され、
前記筐体の底面の中央部には、補助吹出し口が形成されると共に、前記圧縮機、前記モータ及びこれらを制御する電気品が搭載されている
ことを特徴とする空気調和機用室外機。
【請求項４】
第１熱交換器、第１送風装置及び圧縮機を第１筐体内に収納した第１室外機と、第２熱交換器及び第２送風装置を第２筐体内に収納すると共に前記第１室外機の上面に搭載した第２室外機とを備え、
前記第１筐体は、側面上部に第１吸込み口を形成し、側面下部に第１吹出し口を形成して構成され、
前記第１送風装置は、前記第１吸込み口と前記第１吹出し口との間に設置された第１ベルマウスと、室外空気を前記第１吸込み口から吸込み前記第１吹出し口から吹出すように前記第１ベルマウスの中央に配置された第１ファンと、前記第１ファンを駆動する第１モータとを備え、
前記第１熱交換器は前記第１筐体内の前記第１ファンの吸込み側で且つ前記第１吸込み口に沿って配置され、
前記圧縮機は前記第１筐体の底面部に搭載され、
前記第２筐体は、上面を閉鎖し、側面上部に第２吸込み口を形成し、側面下部に第２吹出し口を形成して構成され、
前記第２送風装置は、前記第２吸込み口と前記第２吹出し口との間に設置された第２ベルマウスと、室外空気を前記第２吸込み口から吸込み前記第２吹出し口から吹出すように前記第２ベルマウスの中央に配置された第２ファンと、前記第２ファンを駆動する第２モータとを備え、
前記第２熱交換器は前記第２筐体内の前記第２ファンの吸込み側で且つ前記第２吸込み口に沿って配置されている
ことを特徴とする空気調和機用室外機。
【請求項５】
請求項４に記載された空気調和機用室外機において、
前記第１筐体は、直方体の骨格を形成する金属製第１フレームと、直方体の少なくとも４側面及び底面を形成するように前記第１フレームに取付けられた第１外板とからなる直方体フレーム構造で構成され、
前記第１筐体の底面を構成する第１外板は金属板で構成され、前記第１筐体の前後左右の４側面を構成する第１外板は４側面の上部に前記第１吸込み口が形成されると共に４側面の下部に前記第１吹出し口が形成され、
前記第２筐体は、直方体の骨格を形成する金属製第２フレームと、直方体の少なくとも４側面及び上面を形成するように前記第２フレームに取付けられた第２外板とからなる直方体フレーム構造で構成され、
前記第２筐体の上面を構成する第２外板は金属板で構成され、前記第２筐体の前後左右の４側面を構成する第２外板は４側面の上部に前記第２吸込み口が形成されると共に４側面の下部に前記第２吹出し口が形成されている
ことを特徴とする空気調和機用室外機。
【請求項６】
熱交換器、送風装置及び圧縮機を筐体内に収納した空気調和機用室外機において、
前記筐体は、上面を閉鎖し、側面上部に吸込み口を形成し、側面下部に吹出し口を形成して構成され、
前記送風装置は、前記吸込み口と前記吹出し口との間に設置されたベルマウスと、室外空気を前記吸込み口から吸込み前記吹出し口から吹出すように前記ベルマウスの中央に配置されたファンと、前記ファンを駆動するモータとを備え、
前記熱交換器は、前記筐体内の前記ファンの吸込み側で且つ前記吸込み口に沿って配置された上部熱交換器と、前記上部熱交換器より空気下流側に配置された下部熱交換器とを備え、
前記圧縮機は前記筐体の底面部に搭載されている
ことを特徴とする空気調和機用室外機。
【請求項７】
請求項１に記載された空気調和機用室外機において、
前記筐体は、直方体の骨格を形成する金属製フレームと、直方体の外面を形成するように前記フレームに取付けられた外板とからなる直方体フレーム構造で構成され、
前記筐体の上面及び底面を構成する外板は金属板で構成され、前記筐体の前後左右の４側面を構成する外板は４側面の上部に前記吸込み口が形成されると共に４側面の下部に前記吹出し口が形成され、
前記下部熱交換器は、前記筐体内の前記ファンの吹出し側で且つ前記吹出し口に沿って配置された
ことを特徴とする空気調和機用室外機。
【発明の詳細な説明】
【技術分野】
【０００１】
本発明は、空気調和機用室外機に係り、特に、熱交換器、送風装置及び圧縮機を筐体内に収納した空気調和機用室外機に好適なものである。
【背景技術】
【０００２】
この種の従来の空気調和機用室外機としては、特開２００１−２０１１１１号公報（特許文献１）に示されたものがある。この空気調和機用室外機では、直方体形状の筐体の４側面の上部に吸込み口が形成され、筐体の上面に吹出し口となる開口に送風装置が設置されている。平面ロの字状に形成された熱交換器が送風装置の吸込側で且つ筐体の４側面の吸込み口に沿うように設置されている。送風装置は筐体の上面開口に取付けられたベルマウスと、このベルマウスの中央に配置されたプロペラファンとを備えて構成されている。圧縮機は熱交換器の下方に仕切られた空間に配置されている。この空気調和機用室外機によれば、筐体の４側面の吸込み口に沿うように熱交換器が設置されているので、筐体内で偏流が生じにくくなり、プロペラファンの騒音やプロペラファンの入力の低減が図れる。
【０００３】
【特許文献１】特開２００１−２０１１１１号公報
【発明の開示】
【発明が解決しようとする課題】
【０００４】
しかし、上述した従来の空気調和気用室外機においては、プロペラファンを備えた上吹出し型であるため、冬など寒い環境の時の雨や雪などがプロペラファンに付着し、これらがプロペラファンの表面に部分的に氷結して回転アンバランスを生じさせ、プロペラファンが破損することがあった。そのため、雨や雪などがプロペラファンに付着しないように、防雨、防雪用カバーなどの設備を備えることが必要であるが、プロペラファンの吹出し側に設けるカバーで防雨、防雪を十分に行なうことは難しいという問題があった。
【０００５】
また、上述した従来の空気調和機用室外機においては、１つの筐体内に全ての機器が配置された構成であるため、熱交換器が大きなものでは容積が大きく重量が重いものとなり、輸送や設置作業が面倒であるという問題があった。
【０００６】
更には、上述した従来の空気調和機用室外機には、筐体の４側面の吸込み口に沿うように熱交換器が設置されていることが開示されているが、熱交換能力を更に増大すること関しては開示されていない。
【０００７】
本発明の目的は、雨や雪などによるファンへの氷結を防止してファンの破損を防止できる信頼性の高い空気調和機用室外機を提供することにある。
【０００８】
本発明の別の目的は、雨や雪などによるファンへの氷結を防止してファンの破損を防止できる信頼性の高いものとしつつ、設置や輸送作業の容易な空気調和機用室外機を提供することにある。
【０００９】
本発明の更に別の目的は、雨や雪などによるファンへの氷結を防止してファンの破損を防止できる信頼性の高いものとしつつ、筐体を大型化することなく熱交換能力を増大することができる空気調和機用室外機を提供することにある。
【課題を解決するための手段】
【００１０】
前記目的を達成するために、本発明の第１の態様は、熱交換器、送風装置及び圧縮機を筐体内に収納した空気調和機用室外機において、前記筐体は、上面を閉鎖し、側面上部に吸込み口を形成し、側面下部に吹出し口を形成して構成され、前記送風装置は、前記吸込み口と前記吹出し口との間に設置されたベルマウスと、室外空気を前記吸込み口から吸込み前記吹出し口から吹出すように前記ベルマウスの中央に配置されたファンと、前記ファンを駆動するモータとを備え、前記熱交換器は前記筐体内の前記ファンの吸込み側で且つ前記吸込み口に沿って配置され、前記圧縮機は前記筐体の底面部に搭載されている構成としたことである。
【００１１】
係る本発明の第１の態様におけるより好ましい具体的構成は次の通りである。
（１）前記筐体は、直方体の骨格を形成する金属製フレームと、直方体の外面を形成するように前記フレームに取付けられた外板とからなる直方体フレーム構造で構成され、前記筐体の上面及び底面を構成する外板は金属板で構成され、前記筐体の前後左右の４側面を構成する外板は４側面の上部に前記吸込み口が形成されると共に４側面の下部に前記吹出し口が形成されていること。
（２）前記ファンは室外空気を上方から吸込み下方へ吹出す軸流型ファンで構成され、
前記筐体の底面の中央部には、補助吹出し口が形成されると共に、前記圧縮機、前記モータ及びこれらを制御する電気品が搭載されている
こと。
【００１２】
上述した別の目的を達成するために、本発明の第２の態様は、第１熱交換器、第１送風装置及び圧縮機を第１筐体内に収納した第１室外機と、第２熱交換器及び第２送風装置を第２筐体内に収納すると共に前記第１室外機の上面に搭載した第２室外機とを備え、前記第１筐体は、側面上部に第１吸込み口を形成し、側面下部に第１吹出し口を形成して構成され、前記第１送風装置は、前記第１吸込み口と前記第１吹出し口との間に設置された第１ベルマウスと、室外空気を前記第１吸込み口から吸込み前記第１吹出し口から吹出すように前記第１ベルマウスの中央に配置された第１ファンと、前記第１ファンを駆動する第１モータとを備え、前記第１熱交換器は前記第１筐体内の前記第１ファンの吸込み側で且つ前記第１吸込み口に沿って配置され、前記圧縮機は前記第１筐体の底面部に搭載され、前記第２筐体は、上面を閉鎖し、側面上部に第２吸込み口を形成し、側面下部に第２吹出し口を形成して構成され、前記第２送風装置は、前記第２吸込み口と前記第２吹出し口との間に設置された第２ベルマウスと、室外空気を前記第２吸込み口から吸込み前記第２吹出し口から吹出すように前記第２ベルマウスの中央に配置された第２ファンと、前記第２ファンを駆動する第２モータとを備え、前記第２熱交換器は前記第２筐体内の前記第２ファンの吸込み側で且つ前記第２吸込み口に沿って配置されている構成としたことである。
【００１３】
係る本発明の第２の態様におけるより好ましい具体的構成は次の通りである。
（１）前記第１筐体は、直方体の骨格を形成する金属製第１フレームと、直方体の少なくとも４側面及び底面を形成するように前記第１フレームに取付けられた第１外板とからなる直方体フレーム構造で構成され、前記第１筐体の底面を構成する第１外板は金属板で構成され、前記第１筐体の前後左右の４側面を構成する第１外板は４側面の上部に前記第１吸込み口が形成されると共に４側面の下部に前記第１吹出し口が形成され、前記第２筐体は、直方体の骨格を形成する金属製第２フレームと、直方体の少なくとも４側面及び上面を形成するように前記第２フレームに取付けられた第２外板とからなる直方体フレーム構造で構成され、前記第２筐体の上面を構成する第２外板は金属板で構成され、前記第２筐体の前後左右の４側面を構成する第２外板は４側面の上部に前記第２吸込み口が形成されると共に４側面の下部に前記第２吹出し口が形成されていること。
【００１４】
上述した更なる別の目的を達成するために、本発明の第３の態様は、熱交換器、送風装置及び圧縮機を筐体内に収納した空気調和機用室外機において、
前記筐体は、上面を閉鎖し、側面上部に吸込み口を形成し、側面下部に吹出し口を形成して構成され、
前記送風装置は、前記吸込み口と前記吹出し口との間に設置されたベルマウスと、室外空気を前記吸込み口から吸込み前記吹出し口から吹出すように前記ベルマウスの中央に配置されたファンと、前記ファンを駆動するモータとを備え、
前記熱交換器は、前記筐体内の前記ファンの吸込み側で且つ前記吸込み口に沿って配置された上部熱交換器と、前記上部熱交換器より空気下流側に配置された下部熱交換器とを備え、
前記圧縮機は前記筐体の底面部に搭載されている構成としたことである。
【００１５】
係る本発明の第３の態様におけるより好ましい具体的構成は次の通りである。
（１）前記筐体は、直方体の骨格を形成する金属製フレームと、直方体の外面を形成するように前記フレームに取付けられた外板とからなる直方体フレーム構造で構成され、前記筐体の上面及び底面を構成する外板は金属板で構成され、前記筐体の前後左右の４側面を構成する外板は４側面の上部に前記吸込み口が形成されると共に４側面の下部に前記吹出し口が形成され、前記下部熱交換器は、前記筐体内の前記ファンの吹出し側で且つ前記吹出し口に沿って配置されたこと。
【発明の効果】
【００１６】
本発明の空気調和機用室外機によれば、雨や雪などによるファンへの氷結を防止してファンの破損を防止できる信頼性の高いものとすることができる。
【００１７】
また、本発明の空気調和機用室外機によれば、雨や雪などによるファンへの氷結を防止してファンの破損を防止できる信頼性の高いものとしつつ、設置や輸送作業の容易なものとすることができる。
【００１８】
更に、本発明の空気調和機用室外機によれば、雨や雪などによるファンへの氷結を防止してファンの破損を防止できる信頼性の高いものとしつつ、筐体を大型化することなく熱交換能力を増大することができる。
【発明を実施するための最良の形態】
【００１９】
以下、本発明の複数の実施例について図を用いて説明する。各実施例の図における同一符号は同一物または相当物を示す。
【００２０】
まず、本発明の第１実施例の空気調和機用室外機を図１を用いて説明する。図１は本発明の第１実施例の空気調和機用室外機５０を示す縦断面概略図である。この空気調和機用室外機５０は、ビル用等の比較的大型の室外機として用いられるものである。
【００２１】
空気調和機用室外機５０は、熱交換器５、送風装置３０、圧縮機２及び電気品を筐体４０内に収納して構成されている。
【００２２】
筐体４０は、直方体の骨格を形成する金属製フレーム（図示省略）と、直方体の外面を形成するようにフレームに取付けられた外板９〜１１とからなる直方体フレーム構造で構成されている。外板９〜１１は、４側面を構成する側面ケーシング９と、上面を構成する天板１０と、下面を構成する底ベース１１とからなっている。
【００２３】
側面ケーシング９は、前後左右の各側面を形成する４枚の金属板で構成され、上部に吸込み口９ａを形成し、下部に吹出し口９ｂを形成している。吸込み口９ａ及び吹出し口９ｂは４側面の全てに形成されている。吹出し口９ｂの外側には、ごみの混入や小動物など侵入を防ぐためのガード１２が設けられている。
【００２４】
天板１０は、１枚の金属板で形成され、筐体４０の上面を実質的に閉鎖するように設置されている。この天板１０は、送風装置３０による通風路の一部を構成している。
【００２５】
底ベース１１は、１枚の金属板で形成され、圧縮機２、送風装置３０、電気品などの内部機器を搭載すると共に、フレームを介して熱交換器５を支持している。
【００２６】
送風装置３０はベルマウス６と、軸流型ファン５と、モータ４と、導風ダクト７とを備えて構成されている。そして、ベルマウス６は、吸込み口９ａと吹出し口９ｂとの間に位置して、ファン５と共に上下空間を区画するように設置されている。側面ケーシング９の内側に設置されている。ベルマウス６の外周は側面ケーシング９の内面と一致する形状であり、ベルマウス６の内周はファン５の外形より若干大きな円形である。ファン５は、軸方向の上方から室外空気を吸込み、軸方向の下方へ吹出すようにベルマウス６の中央に配置されている。室外空気は、ファン５の回転により、吸込み口９ａから吸込まれ、吹出し口９ｂから吹出される。モータ４は、ファン５を駆動するものであり、ファン５の下方（ファン５の吹出し側）に配置され、支持台を介して底ベース１１に搭載されている。導風ダクト７は、ベルマウス６と共に送風装置３０の吹出し通風路を形成するものであり、側面ケーシング９の４側面に形成された吹出し口９ｂに対向するように排風口７ａが設けられている。
【００２７】
熱交換器５は、凝縮器または蒸発器として機能するものであり、多数の並置されたプレートフィンに多数の冷媒管を貫通して構成したプレートフィン形熱交換器で平面略ロの字状に形成されている。この熱交換器５は、筐体４０内の送風装置３０の吸込み側で、４側面の各吸込み口９ａに沿うように配置されている。なお、熱交換器５は、複数の熱交換器部を組み合わせることによりロの字状に形成するようにしてもよい。
【００２８】
圧縮機２は、熱交換器５や室内機のサイクル機器などと共に冷凍サイクルの一部を構成し、冷媒を圧縮して冷凍サイクル内を循環させるものである。
【００２９】
モータ４、電気品及び圧縮機２は、底ベース１１の中央部に並置して搭載されている。これにより、空気調和機用室外機５０を安定して設置することができる。また、モータ４、電気品及び圧縮機２は、導風ダクト７の下方に形成されるデッドスペースに配置されている。これによって、空気調和機用室外機５０の小型化図ることができる。
【００３０】
係る構成の空気調和機用室外機５０において、圧縮機２が駆動されると、冷媒が圧縮されて冷凍サイクル内を循環し、熱交換器５で室外空気と熱交換して凝縮または蒸発される。モータ４が駆動されてファン５が回転されると、室外空気は吸込み口９ａから熱交換器５を通ってファン５に吸込まれ、ファン５から吹出し通風路へ吹出され、吹出し口９ｂから外部に吹出される。
【００３１】
ここで、室外空気は、側面ケーシング９の４面に形成された吸込み口９ａ及び熱交換器５の４面を通して吸込まれ、ファン５の全周に流れ、流速分布が均一化される。このため、筐体４０内の偏流がなくなり、圧損や送風騒音が低減される。また、室外空気は、ファン５から側面ケーシング９の４面に形成された吹出し口９ｂを通して吹出される。これによって、吹出し面積が大きく確保でき、圧損の低減による入力低減や送風騒音の低減を図ることができる。更には、筐体４０は上面が閉鎖され、側面上部の吸込み口９ａと側面下部の吹出し口９ｂとの間に設置されたベルマウス６の中央にファン５を配置しているので、雨や雪によるファン５への氷結を防止してファン５の破損を防止できる信頼性の高い空気調和機用室外機５０を実現できる。
【００３２】
次に、本発明の第２〜第８実施例について図２〜図８を用いて説明する。図２〜図８は本発明の第２〜第８実施例の空気調和機用室外機を示す構成図である。この第２〜第８実施例は、以下に述べる点で対比する実施例と相違し、その他の点については対比する実施例と基本的には同一である。
【００３３】
まず、第２実施例の空気調和機用室外機５０を図２を参照しながら説明する。この第２実施例は、空気調和機用室外機５０が第１室外機５０Ａと第２室外機５０Ｂとに分かれている点にて、第１実施例と大きく相違している。第１室外機５０Ａ側の構成要素にＡの符号を付加し、第２室外機５０Ｂ側の構成要素にＢの符号を付加してあるので、この符号Ａ、Ｂを無視して第１実施例と共通する符号のものは、同一物または相当物であり、重複する説明をできるだけ省略する。
【００３４】
空気調和機用室外機５０は、第１熱交換器５Ａ、第１送風装置３０Ａ及び圧縮機２を第１筐体４０Ａ内に収納した第１室外機５０Ａと、第２熱交換器５Ｂ及び第２送風装置３０Ｂを第２筐体４０Ｂ内に収納した第２室外機５０Ｂとを備えて構成されている。第２室外機５０Ｂは第１室外機５０Ａの上面に搭載されている。
【００３５】
第１筐体４０Ａは、直方体の骨格を形成する金属製第１フレームと、直方体の少なくとも４側面及び底面を形成するように第１フレームに取付けられた第１外板とからなる直方体フレーム構造で構成されている。そして、第１筐体４０Ａの底面を構成する第１外板である底ベース１１Ａは金属板で構成されている。第１筐体４０Ａの前後左右の４側面を構成する第１外板である側面ケーシング９Ａの上部に第１吸込み口９Ａａが形成されると共に４側面の下部に第１吹出し口９Ａｂが形成されている。
【００３６】
さらには、第１筐体４０Ａは、４側面の上部に第１吸込み口９Ａａを形成し、４側面の下部に第１吹出し口９Ａｂを形成して構成されている。第１送風装置３０Ａは、第１吸込み口９Ａａと第１吹出し口９Ａｂとの間に設置された第１ベルマウス１６Ａと、室外空気を第１吸込み口９Ａａから吸込み第１吹出し口９Ａｂから吹出すように第１ベルマウス１６Ａの中央に配置された第１ファン１Ａと、第１ファン１Ａを駆動する第１モータ４Ａとを備えて構成されている。第１熱交換器５Ａは、第１筐体４０Ａ内の第１ファン１Ａの吸込み側で且つ第１吸込み口１Ａａに沿って配置されている。圧縮機２は複数設けられ、第１筐体４０Ａの底ベース１１Ａに搭載されている。電気品は第１モータ４Ａの支持台を兼ねているので、この点からも小型化を図ることができる。
【００３７】
第２筐体４０Ｂは、直方体の骨格を形成する金属製第２フレームと、直方体の少なくとも４側面及び上面を形成するように第２フレームに取付けられた第２外板とからなる直方体フレーム構造で構成されている。そして、第２筐体４０Ｂの上面を構成する第２外板である天板１０Ｂは金属板で構成されている。第２筐体４０Ｂの前後左右の４側面を構成する第２外板である側面ケーシング９Ｂは、４側面の上部に第２吸込み口９Ｂａが形成されると共に４側面の下部に第２吹出し口９Ｂｂが形成されている。
【００３８】
さらには、第２筐体４０Ｂは、上面を閉鎖し、４側面の上部に第２吸込み口９Ｂａを形成し、４側面の下部に第２吹出し口９Ｂｂを形成して構成されている。第２送風装置３０Ｂは、第２吸込み口９Ｂａと第２吹出し口９Ｂｂとの間に設置された第２ベルマウス１６Ｂと、室外空気を第２吸込み口９Ｂａから吸込み第２吹出し口９Ｂｂから吹出すように第２ベルマウス１６Ｂの中央に配置された第２ファン１Ｂと、第２ファン１Ｂを駆動する第２モータ４Ｂとを備えて構成されている。第２熱交換器５Ｂは、第２筐体４０Ｂ内の第２ファン１Ｂの吸込み側で且つ第２吸込み口９Ｂａに沿って配置されている。
【００３９】
第２筐体４０Ｂは、第１筐体４０Ａと同様な直方体フレーム構造であり、設置場所へ第１筐体４０を設置した後にその上に第２筐体４０Ｂを搭載して設置する。その後に、第１筐体４０Ａの熱交換器５Ａ及び第２筐体４０Ｂの熱交換器５Ｂはそれぞれ第１筐体４０Ａの底ベース１１に配置された圧縮機２と配管で繋がれると共に、ファン１Ｂは第１筐体４０Ａの底ベース１１に配置された電気品３に繋がれる。
【００４０】
この第２実施例によれば、据付面積を増大することなく、熱交換器５Ａ、５Ｂの伝熱面積を増加することができ、熱交換器の能力を向上することができる。そして、熱交換器５Ａ、５Ｂを大きくしても、空気調和機用室外機５０を２つの室外機５０Ａ、５０Ｂに分割し、これらの室外機５０Ａ、５０Ｂを上下段に組み合わせるように構成しているので、設置場所への運搬、搬入が便利となり、限られたスペースの範囲に大容量の室外機を設置することができる。また、第１筐体４０Ａ及び第２筐体４０Ｂは直方体フレーム構造体で構成されているので、十分な強度を有して上下２段に組み合わせることができる。
【００４１】
次に、第３実施例の空気調和機用室外機５０を図３を参照しながら説明する。この第３実施例は、次の点で第２実施例と相違している。
【００４２】
この第３実施例では、送風装置３０Ａ、３０Ｂが遠心型送風装置である点にて第２実施例と大きく相違している。この送風装置３０Ａは、軸方向上方より室外空気を吸込んで径方向側方に吹出すファン５Ａと、このファン５Ａの吸込み口を形成すると共に上下空間を区画するベルマウス６Ａとを備えて構成され、送風ダクトを備えていない。また、送風装置３０Ｂは、軸方向上方より室外空気を吸込んで径方向側方に吹出すファン５Ｂと、このファン５Ｂの吸込み口を形成すると共に上下空間を区画するベルマウス６Ｂとを備えて構成され、送風ダクトを備えていない。
【００４３】
この第３実施例によれば、第２実施例の基本的な利点を有すると共に、遠心型ファン１Ａ、１Ｂを用いたことにより上下段の送風装置３０Ａ、３０Ｂに導風ダクトを設置せず空気が直接遠心型ファン１Ａ、１Ｂから４側面に吹出されるので、簡単な構造とすることができる。
【００４４】
次に、第４実施例の空気調和機用室外機５０を図４を参照しながら説明する。この第４実施例は、次の点で第１実施例と相違している。
【００４５】
この第４実施例では、吸込み口９ａに沿って設けられた上部の熱交換器５に加えて、吹出し口９ｂに沿って設けられた熱交換器５ｂを備えている点にて第１実施例と大きく相違している。この下部の熱交換器５ｂは、４側面の吹出し口９ｂに沿って設けられ、換言すれば、導風ダクト７の４側面への吹出し口部に設置されている。圧縮機２から熱交換器５ｂ、５の順に配管されている。
【００４６】
係る構成において、室外空気は、ファン１の回転により、４側面に設けられた上部の熱交換器５を通して均一に吸込まれ、４側面に設けられた下部の熱交換器５ｂを通して均一に吹出され、それぞれの熱交換器５、５ｂにて熱交換される。
【００４７】
この第４実施例よれば、室外機５０の所定の大きさに対応した最大熱交換面積の下で、最大限の熱交換能力を有効に引き出すことができ、その能力に対応した適切な風量でのファン１の回転数に減小できると共に、低騒音、高効率運転が可能になる。すなわち、筐体を大型化することなく熱交換能力を増大することができる空気調和機用室外機を実現できる。
【００４８】
次に、第５実施例の空気調和機用室外機５０を図５を参照しながら説明する。この第５実施例は、次の点で第１実施例と相違している。
【００４９】
この第５実施例では、吸込み口９ａに沿って設けられた第１の熱交換器５に加えて、熱交換器５とファン５との間の空間に設けられた第２の熱交換器５ｃを備えている点にて第１実施例と大きく相違している。この第２の熱交換器５ｃは、図５（ａ）、（ｂ）に示すような四角錐形であり、ファン５の吸込み側である上方に対向して設置されている。圧縮機２から熱交換器５ｃ、５の順に配管されている。
【００５０】
係る構成において、室外空気は、ファン１の回転により、４側面に設けられた第１の熱交換器５を通して均一に吸込まれ、さらに第２の熱交換器５ｃを通して均一にファン５に吸込まれ、それぞれの熱交換器５、５ｃにて熱交換される。
【００５１】
この第５実施例よれば、室外機５０の所定の大きさに対応した最大熱交換面積の下で、最大限の熱交換能力を有効に引き出すことができ、その能力に対応した適切な風量でのファン１の回転数に減小できると共に、低騒音、高効率運転が可能になる。すなわち、筐体を大型化することなく熱交換能力を増大することができる空気調和機用室外機を実現できる。
【００５２】
次に、第６実施例の空気調和機用室外機５０を図６を参照しながら説明する。この第６実施例は、次の点で第５実施例と相違している。
【００５３】
この第６実施例では、第２の熱交換器として２枚の平板状の熱交換器５ｄを用いたものである。これによって、第６実施例の熱交換器５ｄは第５実施例の熱交換器５ｃより簡単な構造とすることができる。圧縮機２から熱交換器５ｄ、５の順に配管されている。
【００５４】
この第６実施例よれば、室外機５０の所定の大きさに対応した最大熱交換面積の下で、最大限の熱交換能力を有効に引き出すことができ、その能力に対応した適切な風量でのファン１の回転数に減小できると共に、低騒音、高効率運転が可能になる。すなわち、筐体を大型化することなく熱交換能力を増大することができる空気調和機用室外機を実現できる。
【００５５】
次に、第７実施例の空気調和機用室外機５０を図７を参照しながら説明する。この第７実施例は、次の点で第１実施例と相違している。
【００５６】
この第７実施例では、送風装置３０が遠心型送風装置である点にて第１実施例と大きく相違している。この送風装置３０は、軸方向上方より室外空気を吸込んで径方向側方に吹出すファン５と、このファン５の吸込み口を形成すると共に上下空間を区画するベルマウス６とを備えて構成され、送風ダクトを備えていない。
【００５７】
この第７実施例によれば、第１実施例の基本的な利点を有すると共に、遠心型ファン１を用いたことにより送風装置３０に導風ダクトを設置することなく空気が直接遠心型ファン１から４側面に吹出されるので、簡単な構造とすることができるとともに、吹出し口９ｂの面積を拡大することができる。
【００５８】
次に、第８実施例の空気調和機用室外機５０を図８を参照しながら説明する。この第８実施例は、次の点で第１実施例と相違している。
【００５９】
この第８実施例では、底ベース１１にも吹出し口１１ａを設け、さらにごみの混入や小動物など侵入を防ぐためのガード１２ｂを吹出し口１１ａに備え、導風ダクト７を備えていない。吹出し口１１ａは、底ベース１１の中央部に配置された圧縮機２、電気箱３およびモータ４の周囲に位置して設けられている。また、筐体４０の底面には架台１５が取付けられているので、底ベース１１と設置面１７との間には空間が形成される。架台１５は据付時に、据付場所の状態に応じて別体のものを用いられるようにしてもよい。
【００６０】
係る構成によって、ファン５が回転されると、室外空気は、その多くが吹出し口９ｂから吹出されると共に、その一部が吹出し口１１ａから吹出される。
【００６１】
第８実施例によれば、第１実施例の基本的な利点を有すると共に、吹出し口の面積を拡大することにより筐体４０内の風圧を減小し、最大限の熱交換能力を有効に引き出すことができる。従って、その能力に対応した適切な風量にファンの回転数を減小することができると共に、低騒音、高効率運転が可能になる。
【図面の簡単な説明】
【００６２】
【図１】本発明の第１実施例の空気調和機用室外機を示す縦断面概略図である。
【図２】本発明の第２実施例の空気調和機用室外機を示す縦断面概略図である。
【図３】本発明の第３実施例の空気調和機用室外機を示す縦断面概略図である。
【図４】本発明の第４実施例の空気調和機用室外機を示す縦断面概略図である。
【図５】本発明の第５実施例の空気調和機用室外機を示す縦断面概略図である。
【図６】本発明の第６実施例の空気調和機用室外機を示す縦断面概略図である。
【図７】本発明の第７実施例の空気調和機用室外機を示す縦断面概略図である。
【図８】本発明の第８実施例の空気調和機用室外機を示す縦断面概略図である。
【符号の説明】
【００６３】
１、１Ａ、１Ｂ…ファン、２…圧縮機、３…電気品、４、４Ａ、４Ｂ…モータ、５、５Ａ、５Ｂ…熱交換器、６、６Ａ、６Ｂ…ベルマウス、７、７Ａ、７Ｂ…導風ダクト、７ａ…排風口、９、９Ａ、９Ｂ…側面ケーシング、９ａ…吸込み口、９ｂ…吹出し口、１０、１０Ａ、１０Ｂ…天板、１１、１１Ａ…底ベース、１１ａ…吹出し口、１２、１２Ａ、１２Ｂ…ガード、１５…架台、１６、１６Ａ、１６Ｂ…ベルマウス、１７…設置面、３０…送風装置、４０…筐体、５０…空気調和機用室外機。
【図１】
2006017420.tif 000003
【図２】
2006017420.tif 000004
【図３】
2006017420.tif 000005
【図４】
2006017420.tif 000006
【図５】
2006017420.tif 000007
【図６】
2006017420.tif 000008
【図７】
2006017420.tif 000009
【図８】
2006017420.tif 000010